(57)【要約】【課題】厚さ０．５ｍｍ程度の光拡散板であっても撓みや歪みが生じにくく、かつバックライトユニットの中に組み込み易く、液晶表示装置全体の製造コストの低減に寄与し得る光拡散部材と、光拡散部材をはめ込むフレームを提供することを課題とする。【解決手段】薄い光拡散板の周囲を所定の角度に折り曲げて、薄い光拡散板の平面保持力を強化するとともに、折り曲げた側面に小穴を設けて、溝の側面に突起を設置したフレームの溝に容易に組み込めるとともに、組み込んだ後は、容易に離脱しない構成とする。【選択図】図１
2008107739.tif 000002
【特許請求の範囲】
【請求項１】
両端を支持して水平に保持すると撓むほどに厚みが薄い光拡散板を折り曲げて、組み立てられる、液晶表示装置に組み込まれる光拡散部材であって、
前記光拡散部材は、矩形状の上面板と、前記上面板の四辺から折れ曲がることにより、立ち下がる側面板とを備えており、
前記側面板が前記上面板の四辺から折れ曲がり、立ち下がっていることにより厚みの薄い前記上面板が撓むことを防止して平面を保持する力が強化されていることを特徴とする液晶表示装置用光拡散部材。
【請求項２】
請求項１に記載の液晶表示装置用光拡散部材において、
前記側面板は穴を有して、
前記液晶表示装置用光拡散部材の前記側面板を、取り付け用の溝と前記溝の外側内壁面に突起を有するフレームの前記溝に挿入すると、前記突起が前記穴に嵌まり込み、前記液晶表示装置用光拡散部材が前記フレームに、容易に離脱しないように固定されることを特徴とする液晶表示装置用光拡散部材。
【請求項３】
請求項１に記載の液晶表示装置用光拡散部材において、
前記側面板は夫々の前記側面板の下端から外側に折れ曲がる下縁板部を備えて、
前記液晶表示装置用光拡散部材の前記側面板を、取り付け用の溝であって、溝の途中で外側に張り出した張り出し部を有する溝を有するフレームの前記溝に挿入すると、前記下縁板部が前記張り出し部に嵌まり込み、前記液晶表示装置用光拡散部材が前記フレームに、容易に離脱しないように固定されることを特徴とする液晶表示装置用光拡散部材。
【請求項４】
請求項１乃至３のいずれかに記載の液晶表示装置用光拡散部材において、
前記側面板と前記上面板とのなす角度は９５度以上、１３５度以下であることを特徴とする液晶表示装置用光拡散部材。
【請求項５】
請求項１乃至４のいずれかに記載の液晶表示装置用光拡散部材において、
前記矩形状の上面板は、長辺が略６４０〜７８０ｍｍであって、短辺が略３７０〜４５０ｍｍであり、板の厚さは略０．４５〜０．５５ｍｍであることを特徴とする液晶表示装置用光拡散部材。
【請求項６】
請求項１乃至５のいずれかに記載の液晶表示装置用光拡散部材において、
前光拡散板の材料はポリカーボネイトであることを特徴とする液晶表示装置用光拡散部材。
【請求項７】
両端を支持して水平に保持すると撓むほどに厚みが薄い光拡散板を折り曲げて、組み立てられる液晶表示装置用の光拡散部材と、前記光拡散部材を嵌め込むフレームと、を備えた液晶表示装置用光拡散ユニットにおいて、
前記光拡散部材は、矩形状の上面板と、前記上面板の四辺から折れ曲がることにより、立ち下がる側面板を備えており、
前記側面板は穴を有して、
前記側面板が前記上面板の四辺から折れ曲がり、立ち下がっていることにより厚みの薄い前記上面板が撓むことを防止して平面を保持する力が強化された光拡散部材であって、
前記フレームは、前記光拡散部材が前記フレームに嵌め込まれるための溝を有し、
前記溝の外側内壁面には突起が設置され、
前記液晶表示装置用光拡散部材の前記側面板を、前記溝に挿入すると前記突起が前記穴に嵌まり込み、前記液晶表示装置用光拡散部材が前記フレームに、容易に離脱しないように固定されることを特徴とする液晶表示装置用光拡散ユニット。
【請求項８】
両端を支持して水平に保持すると撓むほどに厚みが薄い光拡散板を折り曲げて、組み立てられる液晶表示装置用の光拡散部材と、前記光拡散部材を嵌め込むフレームと、を備えた液晶表示装置用光拡散ユニットにおいて、
前記光拡散部材は、矩形状の上面板と、前記上面板の四辺から折れ曲がることにより、立ち下がる側面板を備えており、
前記側面板は夫々の前記側面板の下端から外側に折れ曲がる下縁板部を備えて、
前記側面板が前記上面板の四辺から折れ曲がり、立ち下がっていることにより厚みの薄い前記上面板が撓むことを防止して平面を保持する力が強化された光拡散部材であって、
前記フレームは、前記光拡散部材が前記フレームに嵌め込まれるための溝を有し、
前記溝は溝の途中で外側に張り出した張り出し部を有するものであり、
前記液晶表示装置用光拡散部材の前記側面板を、フレームの前記溝に挿入すると前記下縁板部が前記張り出し部に嵌まり込み、前記液晶表示装置用光拡散部材が前記フレームに、容易に離脱しないように固定されることを特徴とする液晶表示装置用光拡散ユニット。
【請求項９】
請求項７または８に記載の液晶表示装置用光拡散ユニットにおいて、
前記側面板と前記上面板とのなす角度は９５度以上、１３５度以下であることを特徴とする液晶表示装置用光拡散ユニット。
【請求項１０】
請求項７乃至９のいずれかに記載の液晶表示装置用光拡散ユニットにおいて、
前記矩形状の上面板は、長辺が略６４０〜７８０ｍｍであって、短辺が略３７０〜４５０ｍｍであり、板の厚さは略０．４５〜０．５５ｍｍであることを特徴とする液晶表示装置用光拡散ユニット。
【請求項１１】
請求項７乃至１０のいずれかに記載の液晶表示装置用光拡散ユニットにおいて、
前光拡散板の材料はポリカーボネイトであることを特徴とする液晶表示装置用光拡散ユニット。
【請求項１２】
両端を支持して水平に保持すると撓むほどに厚みが薄い光拡散板を用いた液晶表示装置用の光拡散部材を製造する方法であって、
前記光拡散板を角に凹み部を有する矩形状に切断する工程と、
前記角に凹み部を有する矩形状に切断された光拡散板の周囲を折り曲げて、矩形状の上面板から立ち下がる側面板を作成する工程と、を備えており、
前記側面板が前記上面板の四辺から折れ曲がり、立ち下がっていることにより厚みの薄い前記上面板が撓むことを防止して平面を保持する力が強化されていることを特徴とする液晶表示装置用光拡散部材の製造方法。
【請求項１３】
両端を支持して水平に保持すると撓むほどに厚みが薄い光拡散板を用いた液晶表示装置用の光拡散部材を製造する方法であって、
前記光拡散板を角に凹み部を有する矩形状に切断する工程と、
前記光拡散板の周囲に穴を開口する工程と、
前記角に凹み部を有する矩形状に切断された光拡散板の周囲を折り曲げて、矩形状の上面板から立ち下がる側面板を作成する工程と、を備えており、
前記側面板が前記上面板の四辺から折れ曲がり、立ち下がっていることにより厚みの薄い前記上面板が撓むことを防止して平面を保持する力が強化されていること、及び前記液晶表示装置用光拡散部材の前記側面板を、取り付け用の溝と前記溝の外側内壁面に突起を有するフレームの前記溝に挿入すると、前記突起が前記穴に嵌まり込み、前記液晶表示装置用光拡散部材が前記フレームに、容易に離脱しないように固定されることを特徴とする液晶表示装置用光拡散部材の製造方法。
【請求項１４】
請求項１２または１３に記載の液晶表示装置用光拡散部材の製造方法において、
前記側面板と前記上面板とのなす角度は９５度以上、１３５度以下であることを特徴とする液晶表示装置用光拡散部材の製造方法。
【請求項１５】
請求項１２乃至１４のいずれかに記載の液晶表示装置用光拡散部材の製造方法において、
前記矩形状の上面板は、長辺が略６４０〜７８０ｍｍであって、短辺が略３７０〜４５０ｍｍであり、板の厚さは略０．４５〜０．５５ｍｍであることを特徴とする液晶表示装置用光拡散部材の製造方法。
【請求項１６】
両端を支持して水平に保持すると撓むほどに厚みが薄い光拡散板を用いた折光拡散部材と、前記光拡散部材を嵌め込むフレームと、を備えた液晶表示装置用光拡散ユニットの製造方法であって、
前記光拡散板を角に凹み部を有する矩形状に切断する工程と、
前記光拡散板の周囲に穴を開口する工程と、
前記角に凹み部を有する矩形状に切断された光拡散板の周囲を折り曲げて、矩形状の上面板から立ち下がる側面板を作成する工程と、
前記フレームに、前記光拡散部材を嵌め込む為の溝を作成する工程と、
前記溝の外側内壁面に突起を作成する工程と、を備えており、
前記側面板が前記上面板の四辺から折れ曲がり、立ち下がっていることにより厚みの薄い前記上面板が撓むことを防止して平面を保持する力が強化されていること、及び前記液晶表示装置用光拡散部材の前記側面板を、取り付け用の溝と前記溝の外側内壁面に突起を有するフレームの前記溝に挿入すると、前記突起が前記穴に嵌まり込み、前記液晶表示装置用光拡散部材が前記フレームに、容易に離脱しないように固定されることを特徴とする液晶表示装置用光拡散ユニットの製造方法。
【請求項１７】
請求項１６に記載の液晶表示装置用光拡散ユニットの製造方法において、
前記側面板と前記上面板とのなす角度は９５度以上、１３５度以下であることを特徴とする液晶表示装置用光拡散ユニットの製造方法。
【請求項１８】
請求項１６または１７に記載の液晶表示装置用光拡散ユニットの製造方法において、
前記矩形状の上面板は、長辺が略６４０〜７８０ｍｍであって、短辺が略３７０〜４５０ｍｍであり、板の厚さは略０．４５〜０．５５ｍｍであることを特徴とする液晶表示装置用光拡散ユニットの製造方法。
【発明の詳細な説明】
【技術分野】
【０００１】
本発明は、液晶表示装置に使用される光拡散部材と光拡散部材が設置されるフレームに関する。
【背景技術】
【０００２】
近年、液晶表示装置がテレビジョン受信機の表示装置に採用されるのに伴い、液晶表示装置画面の大画面化と低価格化が加速している。液晶表示装置画面を大画面化するためには、その部品である光拡散板も大型化する必要がある。また、大画面の液晶表示装置の低価格化を実現するためには、その部品である光拡散板についても低価格化や生産性の向上に寄与し得る光拡散板を開発することが必要である。また、テレビジョン受信機はできる限り薄型であることも必要である。
【０００３】
従来の光拡散板は、ある程度の厚みがあり、３２インチ前後の液晶テレビに使用される光拡散板であっても、光拡散板はほとんど撓むことのないものであった。
【特許文献１】特開２００４−１９８７２５
【発明の開示】
【発明が解決しようとする課題】
【０００４】
しかし、近年、板の厚さ約０．５ｍｍと非常に薄くても十分な光拡散能力を有する光拡散板が開発されたが、該光拡散板を３２インチ前後の液晶パネル用の光拡散板として使用しようとすると、中央部分に撓みが、周辺部には歪みが生じてしまい、製造工程においても、また完成品となった後でもこの撓みや歪みの問題が顕在化した。
【０００５】
また、該撓みや歪みを,該光拡散部材の裏側から支持する支持用の突起を設けることによって解決しようとすると、現在数箇所程度設置しているだけの支持用突起を、相当数増やす必要があり、該突起の影が画面に映りこんでしまう問題がある。したがって、支持用の突起の設置によっては問題を解決できない。図に基づいて説明する。
【０００６】
図２は厚みの薄い光拡散板と、光拡散板がフレームに設置されたときに、フレームが支持される場所とバックライトの光源からの光線の方向を示す斜視図である。
【０００７】
図２において、２０５は薄い厚みの光拡散板であり、２０３は該光拡散板がフレームに設置されたときに、該光拡散板が支持される場所を示す矢印であり、２０２はバックライトの光源からの光線の方向を示す矢印であり、２０１は光拡散板２０５の中央部分であり、２０４は光拡散板２０５の撓みや歪みを防止するための支持用突起であり、W1は光拡散板２０５の厚みである。
【０００８】
厚みの薄い光拡散板２０５を用いて、３２インチ程度の大画面用の大きな光拡散板２０５を作成して、該光拡散板２０５を、光拡散板の周囲の矢印２０３で示されるような箇所で支えると該光拡散板の中央部２０１が重力により下に垂れ下がり、該光拡散板が撓んでしまう。また、周囲には歪みも生じる。このような撓みや歪みが発生すると、製造工程において、作業効率に悪影響を及ぼすだけではなく、実際に該光拡散板が液晶表示装置のなかに組み込まれて完成した後にも悪影響を及ぼす。
【０００９】
他方、この撓みを防止するために支持用突起２０４を相当数設置すると、実際に、液晶画面に画像を表示する場合には、支持用突起２０４の周辺に設置されたバックライトの光源から光線が照射され、支持棒２０４の影が画面に映ってしまうという問題がある。
【００１０】
現在、従来の厚みが２ｍｍ程度で撓みにくい光拡散板を使用している場合にも、該支持用突起２０４が使用されているが、この映り込みの問題を考慮して、最小限の個数に制限されており、現状より、支持用突起２０４の設置個数を増加することには問題がある。
【００１１】
また、別の観点からは、液晶表示装置全体の製造コストの低減を図るために、バックライトユニットの中に組み込み易く、作業効率の向上に寄与し得る光拡散板とする必要もある。
【００１２】
そこで、本発明は、薄い光拡散板であっても撓みにくく、かつバックライトユニットの中に組み込み易く、液晶表示装置全体の製造コストの低減に寄与し得る光拡散部材と、光拡散板をはめ込むフレームを提供することを目的とする。
【００１３】
発明者らは、光拡散板の厚みが薄く、平板のままでは、光拡散板が撓んでしまい、取り扱いが困難となる問題を解決するために、光拡散板の周囲を適度に折り曲げることによって、光拡散板を撓みにくくするとともに、折り曲げた部分に穴を設置することによって、光拡散板をフレームにワンタッチで組み込むことを可能とし、液晶表示装置用の製造コストを低減することを可能とした。
【課題を解決するための手段】
【００１４】
上記課題を解決するために、
請求項１に記載の発明は、両端を支持して水平に保持すると撓むほどに厚みが薄い光拡散板を折り曲げて、組み立てられる、液晶表示装置に組み込まれる光拡散部材であって、
前記光拡散部材は、矩形状の上面板と、前記上面板の四辺から折れ曲がることにより、立ち下がる側面板とを備えており、
前記側面板が前記上面板の四辺から折れ曲がり、立ち下がっていることにより厚みの薄い前記上面板が撓むことを防止して平面を保持する力が強化されていることを特徴とする。
【００１５】
光拡散板の厚みが薄くなると、撓みやすい問題を、該光拡散板の周囲を折り曲げることによって、光拡散板自身に平面部の平面性を維持する力を与えることにより解決したものである。
【００１６】
また、請求項２に記載の発明は、請求項１に記載の液晶表示装置用光拡散部材に係り、
前記側面板は穴を有して、
前記液晶表示装置用光拡散部材の前記側面板を、取り付け用の溝と前記溝の外側内壁面に突起を有するフレームの前記溝に挿入すると、前記突起が前記穴に嵌まり込み、前記液晶表示装置用光拡散部材が前記フレームに、容易に離脱しないように固定されることを特徴とする。
【００１７】
前記側面板に穴を設けることにより、該液晶表示装置光拡散部材を所定の溝と突起を有するフレームに組み込む際に、容易に組み込めるとともに、組み込んだ後には、容易に離脱しないようにしたものである。
【００１８】
また、請求項３に記載の発明は、請求項１に記載の液晶表示装置用光拡散部材に係り、
前記側面板は夫々の前記側面板の下端から外側に折れ曲がる下縁板部を備えて、
前記液晶表示装置用光拡散部材の前記側面板を、取り付け用の溝であって、溝の途中で外側に張り出した張り出し部を有する溝を有するフレームの前記溝に挿入すると、前記下縁板部が前記張り出し部に嵌まり込み、前記液晶表示装置用光拡散部材が前記フレームに、容易に離脱しないように固定されることを特徴とする。
【００１９】
前記側面板に下縁板部を設けることにより、該液晶表示装置光拡散部材を、溝の途中に張り出し部を有する溝を有するフレームに組み込む際に、容易に組み込めるとともに、組み込んだ後には、容易に離脱しないようにしたものである。
【００２０】
また、請求項４に記載の発明は、請求項１乃至３のいずれかに記載の液晶表示装置用光拡散部材に係り、
前記側面板と前記上面板とのなす角度は９５度以上、１３５度以下であることを特徴とする。
【００２１】
前記側面板と前記上面板とのなす角度が９５度以上、１３５度以下であると、前記側面板のフレームの溝への挿入が容易であり、また挿入後は前記側面板の穴に入ったフレームの突起が保持されることに着目したものである。
【００２２】
また、請求項５に記載の発明は、請求項１乃至４のいずれかに記載の液晶表示装置用光拡散部材に係り、
前記矩形状の上面板は、長辺が略６４０〜７８０ｍｍであって、短辺が略３７０〜４５０ｍｍであり、板の厚さは略０．４５〜０．５５ｍｍであることを特徴とする。
【００２３】
また、請求項６に記載の発明は、請求項１乃至５のいずれかに記載の液晶表示装置用光拡散部材に係り、
前光拡散板の材料はポリカーボネイトであることを特徴とする。
【００２４】
また、請求項７に記載の発明は、両端を支持して水平に保持すると撓むほどに厚みが薄い光拡散板を折り曲げて、組み立てられる液晶表示装置用の光拡散部材と、前記光拡散部材を嵌め込むフレームと、を備えた液晶表示装置用光拡散ユニットであって、
前記光拡散部材は、矩形状の上面板と、前記上面板の四辺から折れ曲がることにより、立ち下がる側面板を備えており、
前記側面板は穴を有して、
前記側面板が前記上面板の四辺から折れ曲がり、立ち下がっていることにより厚みの薄い前記上面板が撓むことを防止して平面を保持する力が強化された光拡散部材であって、
前記フレームは、前記光拡散部材が前記フレームに嵌め込まれるための溝を有し、
前記溝の外側内壁面には突起が設置され、
前記液晶表示装置用光拡散部材の前記側面板を、前記溝に挿入すると前記突起が前記穴に嵌まり込み、前記液晶表示装置用光拡散部材が前記フレームに、容易に離脱しないように固定されることを特徴とする。
【００２５】
側面板に穴を有する光拡散部材と、
該光拡散部材を組み込み易いフレームとをセットにしたものである。
【００２６】
また、請求項８に記載の発明は、両端を支持して水平に保持すると撓むほどに厚みが薄い光拡散板を折り曲げて、組み立てられる液晶表示装置用の光拡散部材と、前記光拡散部材を嵌め込むフレームと、を備えた液晶表示装置用光拡散ユニットであって、
前記光拡散部材は、矩形状の上面板と、前記上面板の四辺から折れ曲がることにより、立ち下がる側面板を備えており、
前記側面板は夫々の前記側面板の下端から外側に折れ曲がる下縁板部を備えて、
前記側面板が前記上面板の四辺から折れ曲がり、立ち下がっていることにより厚みの薄い前記上面板が撓むことを防止して平面を保持する力が強化された光拡散部材であって、
前記フレームは、前記光拡散部材が前記フレームに嵌め込まれるための溝を有し、
前記溝は溝の途中で外側に張り出した張り出し部を有するものであり、
前記液晶表示装置用光拡散部材の前記側面板を、フレームの前記溝に挿入すると前記下縁板部が前記張り出し部に嵌まり込み、前記液晶表示装置用光拡散部材が前記フレームに、容易に離脱しないように固定されることを特徴とする。
【００２７】
側面板に下縁板部を有する光拡散部材と、
該光拡散部材を組み込み易いフレームとをセットにしたものである。
【００２８】
また、請求項９に記載の発明は、請求項７または８に記載の液晶表示装置用光拡散ユニットに係り、
前記側面板と前記上面板とのなす角度は９５度以上、１３５度以下であることを特徴とする。
【００２９】
また、請求項１０に記載の発明は、請求項７乃至９のいずれかに記載の液晶表示装置用光拡散ユニットに係り、
前記矩形状の上面板は、長辺が略６４０〜７８０ｍｍであって、短辺が略３７０〜４５０ｍｍであり、板の厚さは略０．４５〜０．５５ｍｍであることを特徴とする。
【００３０】
また、請求項１１に記載の発明は、請求項７乃至１０のいずれかに記載の液晶表示装置用光拡散ユニットに係り、
前光拡散板の材料はポリカーボネイトであることを特徴とする。
【００３１】
また、請求項１２に記載の発明は、両端を支持して水平に保持すると撓むほどに厚みが薄い光拡散板を用いた液晶表示装置用の光拡散部材を製造する方法であって、
前記光拡散板を角に凹み部を有する矩形状に切断する工程と、
前記角に凹み部を有する矩形状に切断された光拡散板の周囲を折り曲げて、矩形状の上面板から立ち下がる側面板を作成する工程と、を備えており、
前記側面板が前記上面板の四辺から折れ曲がり、立ち下がっていることにより厚みの薄い前記上面板が撓むことを防止して平面を保持する力が強化されていることを特徴とする。
【００３２】
また、請求項１３に記載の発明は、両端を支持して水平に保持すると撓むほどに厚みが薄い光拡散板を用いた液晶表示装置用の光拡散部材を製造する方法であって、
前記光拡散板を角に凹み部を有する矩形状に切断する工程と、
前記光拡散板の周囲に穴を開口する工程と、
前記角に凹み部を有する矩形状に切断された光拡散板の周囲を折り曲げて、矩形状の上面板から立ち下がる側面板を作成する工程と、を備えており、
前記側面板が前記上面板の四辺から折れ曲がり、立ち下がっていることにより厚みの薄い前記上面板が撓むことを防止して平面を保持する力が強化されていること、及び前記液晶表示装置用光拡散部材の前記側面板を、取り付け用の溝と前記溝の外側内壁面に突起を有するフレームの前記溝に挿入すると、前記突起が前記穴に嵌まり込み、前記液晶表示装置用光拡散部材が前記フレームに、容易に離脱しないように固定されることを特徴とする。
【００３３】
また、請求項１４に記載の発明は、請求項１２または１３に記載の液晶表示装置用光拡散部材の製造方法に係り、
前記側面板と前記上面板とのなす角度は９５度以上、１３５度以下であることを特徴とする。
【００３４】
また、請求項１５に記載の発明は、請求項１２乃至１４のいずれかに記載の液晶表示装置用光拡散部材の製造方法に係り、
前記矩形状の上面板は、長辺が略６４０〜７８０ｍｍであって、短辺が略３７０〜４５０ｍｍであり、板の厚さは略０．４５〜０．５５ｍｍであることを特徴とする。
【００３５】
また、請求項１６に記載の発明は、両端を支持して水平に保持すると撓むほどに厚みが薄い光拡散板を用いた折光拡散部材と、前記光拡散部材を嵌め込むフレームと、を備えた液晶表示装置用光拡散ユニットの製造方法であって、
前記光拡散板を角に凹み部を有する矩形状に切断する工程と、
前記光拡散板の周囲に穴を開口する工程と、
前記角に凹み部を有する矩形状に切断された光拡散板の周囲を折り曲げて、矩形状の上面板から立ち下がる側面板を作成する工程と、
前記フレームに、前記光拡散部材を嵌め込む為の溝を作成する工程と、
前記溝の外側内壁面に突起を作成する工程と、を備えており、
前記側面板が前記上面板の四辺から折れ曲がり、立ち下がっていることにより厚みの薄い前記上面板が撓むことを防止して平面を保持する力が強化されていること、及び前記液晶表示装置用光拡散部材の前記側面板を、取り付け用の溝と前記溝の外側内壁面に突起を有するフレームの前記溝に挿入すると、前記突起が前記穴に嵌まり込み、前記液晶表示装置用光拡散部材が前記フレームに、容易に離脱しないように固定されることを特徴とする。
【００３６】
また、請求項１７に記載の発明は、請求項１６に記載の液晶表示装置用光拡散ユニットの製造方法に係り、
前記側面板と前記上面板とのなす角度は９５度以上、１３５度以下であることを特徴とする液晶表示装置用光拡散ユニットの製造方法。
【００３７】
また、請求項１８に記載の発明は、請求項１６または１７に記載の液晶表示装置用光拡散ユニットの製造方法に係り、
前記矩形状の上面板は、長辺が略６４０〜７８０ｍｍであって、短辺が略３７０〜４５０ｍｍであり、板の厚さは略０．４５〜０．５５ｍｍであることを特徴とする。
【発明の効果】
【００３８】
本発明によれば、両端を支持して持ち上げると撓んでしまうほど薄い光拡散板であっても、光拡散板の周囲を折り曲げることによって、容易に光拡散板の平面保持力を強化することができる。その結果として、該光拡散板を組み込む際の作業効率が向上するとともに、平面保持力が強化されていることにより液晶表示画面の表示の質が向上する。
【００３９】
また、側面板に穴を設け、また板を折曲げる角度を所定の範囲内にすることにより、該光拡散部材を容易にフレームに嵌め込むことができるとともに、一端嵌め込んだ後は、容易に離脱しないようにすることができ、生産性と信頼性の向上が図れた。
【００４０】
また、同様に、側面板に下縁板部を設け、また板を折曲げる角度を所定の範囲内にすることにより、該光拡散部材を容易にフレームに嵌め込むことができるとともに、一端嵌め込んだ後は、容易に離脱しないようにすることができ、生産性と信頼性の向上が図れた。
【発明を実施するための最良の形態】
【００４１】
以下、図を参照しつつ、本発明を実施するための形態につき説明する。
【００４２】
図１は本発明を実施するための第一の実施の形態に係る液晶表示装置用光拡散部材とフレームの構成の概略を示す斜視図である。
【００４３】
図１において、１２は光拡散部材であり、２は光拡散部材の上面板であり、３乃至６は光拡散部材の側面板であり、９は光拡散部材の側面板に設けられた穴であり、１１はフレームであり、１３乃至１６はフレームに設けられた光拡散部材の側面板３乃至６が差し込まれる溝であり、１９は光拡散部材の側面板に設けられた穴９に嵌まり込むフレームの溝に設置された突起である。
【００４４】
本光拡散部材は厚みの薄い光拡散板の周囲が折り曲げられて、矩形の上面板２の周囲に立ち下がって、側面板３乃至６を形成している。このように周囲を折り曲げることによって、上面板２が長辺の長さが７２０ｍｍ程度で、短辺の長さが４２０ｍｍ程度の大きさを有していても、上面板２は、液晶表示装置の光拡散板としての機能を果たすのに障害となるような撓みを発生しない。また折り曲げるだけなので、新たな部材を必要とすることなく、加工も非常に単純である。
【００４５】
次に、光拡散部材１２をフレーム１１に嵌め込む工程を説明しながら、光拡散部材の構成について説明する。光拡散部材１２をフレーム１１に嵌め込むためには、光拡散部材１２の側面板３乃至６をフレーム１１の溝１３乃至１６に押し込む。側面板３乃至６をフレーム１１の溝１３乃至１６に押し込には側面板３乃至６を溝１３乃至１６の内側の内壁と突起１９の隙間に押し込む。すると溝の突起１９が側面板の穴９に嵌まり込む。図に基づいて説明する。
【００４６】
図６は光拡散部材１２がフレーム１１に嵌め込まれた後の概略を示す斜視図である。
【００４７】
図６において、９は光拡散部材の側面板に設けられた穴であり、１９はフレームの溝に設置された突起であり、５は側面板であり、６０１は図５において拡大する部分を示すものであり、６０２は図７において拡大する部分を示すものであり、１５はフレームの溝である。
【００４８】
光拡散部材１２の側面板５を少し内側に曲げながら、フレーム１１の溝１５に押し込むと、溝の突起１９が側面板の穴９に嵌まり込む、一旦嵌まり込むと、側面板は板自体の反発力により、外側に広がり、溝の突起１９が側面板の穴９に嵌まり込むんでいることにより容易にフレームから外れない。この溝の突起が側面板の穴に嵌まり込んでいる様子を図に基づいて説明する。
【００４９】
図５は図６の６０１に示された部分の拡大斜視図である。
【００５０】
図５において、１１はフレームであり、５１５はフレームの溝の外側内壁面であり、１９はフレームの溝の外側内壁面に設けられた突起であり、２は光拡散部材の上面板であり、５は光拡散部材の側面板であり、９は光拡散部材の側面板に設けられた穴である。
【００５１】
図５に示されているように、溝の突起１９は側面板に設けられた穴にはまり込んでいる。この状態になれば、光拡散部材が嵌まり込んだフレームを引っくり返して、光拡散部材を下側にしても、光拡散部材はフレームから離脱しない。
【００５２】
この光拡散部材がフレームに嵌まり込んでいる状態を別の箇所について図示する。
【００５３】
図７は図６の６０２に示された部分の拡大斜視図である。
【００５４】
図７において、３と４は側面板であり、９は側面板に設けられた穴であり、１９は突起である。本実施の態様に係る光拡散部材の各側面板は図７に示されるようにフレームの溝に設けられている突起と、側面板に設けられている穴によって連結し合っている。
【００５５】
次に、側面板と上面板とのなす角度の関係について図を参照しつつ、説明する。
【００５６】
図４は図６のＺ−Ｚ切断線断面図である。
【００５７】
図４において、１５はフレームの溝であり、２は光拡散部材の上面板であり、５は光拡散部材の側面板であり、９は側面板に設けられた穴であり、１９は溝１５の外側内壁面に設けられた突起であり、４０１は突起１９の先端と溝１５の内側内壁面との間の隙間であり、Ａは上面板２と側面板５とがなす角度である。
【００５８】
側面板５をフレーム１１の溝１５に押し込むには側面板５を溝１５の内側の内壁と突起９の隙間４０１を通して押し込む。すると、突起１９は穴９に入り込む。この場合側面板５が溝１５の内側の内壁と突起１９の隙間４０１を通して押し込まれているときには角度Ａが小さくなる方向に側面板５が一時的に、さらに曲げられるが、突起１９に穴９が嵌まった後では側面板５は板自体の反発力により、外側に広がり角度Ａは少し、元に戻る。ここで突起１９に穴９が嵌まった後の定常的な状態での角度Ａが、側面版を溝に嵌め込む前の角度と大きく異なると上面板に僅かな撓みを生じさせる場合が多く、図３に示すような撓みを生じさせる場合がある。この問題を最小化するために、角度Aの範囲が重要であり、９５度以上、１３５度以下が好適であることを実施例によって確認した。
【００５９】
図３は図１のＹ−Ｙ切断線断面図である。この撓みについて図を参照して説明する。
【００６０】
図３において、２は上面板であり、３と５は側面板であり、Ａは上面板２と側面板５とがなす角度である。側面板に何らの力がかけられていない状態では上面板２に撓みがない場合であっても、光拡散部材がフレームに嵌め込まれた後の状態において、角度Ａが嵌め込まれる前の状態での角度Ａと大きく異なると、上面板２に撓みが生じる。
【００６１】
なお、本実施の態様に係る光拡散板の厚さは略０．５ｍｍであり、矩形状の上面板の長辺の長さは略７３１．５ｍｍであり、短辺の長さは４２４ｍｍであり、材料はポリカーボネイトである。
【００６２】
また、本実施の形態においては、側面板に穴を設けてフレームに固定する形態であるが、穴を設けず、薄い光拡散板の周囲を折り曲げることにより、光拡散板の平面保持力を強化することのみを特徴とする光拡散部材であってもよい。
【００６３】
次に、光拡散部材の構成を、側面板の穴を設けるのではなく、側面板の先端をさらに外側に折り曲げることにより、側面板の先端に下縁板部を設けたものとするとともに、フレームの溝の構成を該光拡散部材の構成に整合させて、取り付け用の溝の構成を溝の途中に外側に張り出した張り出し部を有する構成とする第２の実施の形態について説明する。図に基づいて説明する。
【００６４】
図８は本発明を実施するための第二の実施の形態に係る液晶表示装置用光拡散部材とフレームの構成の概略を示す斜視図である。
【００６５】
図８において、８０３は側面板３の先端部に設けられた下縁板部であり、８０４は側面板４の先端部に設けられた下縁板部であり、８０５は側面板５の先端部に設けられた下縁板部であり、８０６は側面板６の先端部に設けられた下縁板部である。
【００６６】
本実施の形態に係る液晶表示装置用光拡散部材の特徴は、側面板に穴を設ける代わりに、
下縁板部を設けた点である。この点に対応するべく、フレームの溝は突起の代わりに、溝の途中に張り出し部を設けた。第二の実施の形態に係る液晶表示装置用光拡散部材とフレームにおいても、図１の第一の実施の形態に係る液晶表示装置用光拡散部材とフレームの場合と同様に、光拡散部材１２の側面板３乃至６をフレーム１１の溝１３乃至１６に押し込む。すると各側面板３乃至６の下縁板部８０３乃至８０６は夫々の溝の張り出し部に嵌まり込む。図に基づいて説明する。
【００６７】
図９は第二の実施の形態に係る液晶表示装置用光拡散部材がフレームに嵌まり込んでいる状態を示す斜視図である。
【００６８】
図９において、２は光拡散部材の上面板であり、５は側面板であり、８０５は側面板５の下縁板部であり、１１はフレームであり、８１５はフレームの溝の張り出し部である。
【００６９】
側面板５を溝に押し込むと下縁板部８０５は鋭角に折れながら溝の中をすべって入り込みＬ字型の広がった溝の張り出し部８１５で、下縁板部８０５自体の復元力で外側に広がって、その結果、光拡散部材はフレームに固定される。
【００７０】
図１０は側面板の先端をさらに鋭角に折り曲げて作成した下縁板部８０５をフレームの溝の途中に、設置された張り出し部８１５に引っ掛けることにより光拡散部材をフレームに固定する実施形態の例を示す斜視図である。
【００７１】
図１０において、５は側面板であり、８０５は側面板の先端を外側に、図９の場合よりもより鋭角に折り曲げて作成した下縁板部であり、８１５は溝の途中で外側に広がっている張り出し部である。
【００７２】
この態様においても、側面板５を溝に押し込むと、下縁板部８０５はさらに、鋭角に折れながら溝の中をすべって入り込み、溝が横に広がった張り出し部８１５で外側に広がって光拡散部材はフレームに固定される。また、一旦固定すると容易に離脱しない。
【００７３】
次に、本実施の形態に係る光拡散部材の製造方法について、図に基づいて簡単に説明する。ただし、この製造方法は例示であって、本発明に係る光拡散部材はこの製造方法に限定されるものではない。
【００７４】
図１１は第一の実施の形態に係る光拡散部材の展開平面図である。
【００７５】
図１１において、２は上面板であり、３乃至６は側面板である。１００は折り曲げる位置を表す折曲げ線である。
【００７６】
最初に、厚みの薄い光拡散板を図１１の展開平面図に示される形状と側面板の穴を同時にプレス機にて切断する。
次に、折り曲げ線に浅い切込みをプレス機等によって入れる。次に、プレス機等により折り曲げ線に沿って、折り曲げ加工をする。
【００７７】
また、展開平面図に示される形状の切断と、側面板の穴の開口と、折り曲げ工程と、を同時にプレス機等により行うこともできる。
【００７８】
なお、プレス工程については、公知であるので、説明は省略する
【００７９】
図１２は第二の実施の形態に係る光拡散部材の展開平面図である。
【００８０】
図１２のおいて、３乃至６は側面板であり、８０３乃至８０６は側面板の先端に設ける下縁板部であり、１００は側面板を作成するための折曲げ線であり、１０１は下縁板部を設けるための折曲げ線である。折り曲げ加工については第一の実施の形態に係る場合と同様である。
【００８１】
なお、これらの製造方法は例示であって、その他の方法によって製造してもよい。
【００８２】
また、本実施の形態においては、光拡散板の材料として、ポリカーボネイトを使用しているが、同等の他の材料であってもよい。
【００８３】
また、本発明は光拡散部材単体に係る場合と光拡散部材と、該光拡散部材を嵌め込むためのフレームと、を組み合わせて液晶表示装置用光拡散ユニットとした、場合とがある。
【図面の簡単な説明】
【００８４】
【図１】第一の実施の形態に係る液晶表示装置用光拡散部材とフレームの構成の概略を示す斜視図である。
【図２】厚みの薄い光拡散板と、光拡散板がフレームに設置されたときに、フレームが支持される場所とバックライトの光源からの光線の方向を示す斜視図である。
【図３】図１のＹ−Ｙ切断線断面図である。
【図４】図６のＺ−Ｚ切断線断面図である。
【図５】図６の６０１に示された部分の拡大斜視図である。
【図６】光拡散部材１２がフレーム１１に嵌め込まれた後の概略を示す斜視図である。
【図７】図６の６０２に示された部分の拡大斜視図である。
【図８】本発明を実施するための第二の実施の形態に係る液晶表示装置用光拡散部材とフレームの構成の概略を示す斜視図である。
【図９】第二の実施の形態に係る液晶表示装置用光拡散部材がフレームに嵌まり込んでいる状態を示す斜視図である。
【図１０】側面板の先端をさらに鋭角に折り曲げて作成した下縁板部８０５をフレームの溝の途中に設置された張り出し部に引っ掛けることにより光拡散部材をフレームに固定する実施形態の例を示す斜視図である。
【図１１】第一の実施の形態に係る光拡散部材の展開平面図である。
【図１２】第二の実施の形態に係る光拡散部材の展開平面図である。
【符号の説明】
【００８５】
２      上面板
３      側面板
４      側面板
５      側面板
６      側面板
９      穴
１１      フレーム
１２      光拡散部材
１３      フレームに設けられた溝
１４      フレームに設けられた溝
１５      フレームに設けられた溝
１６      フレームに設けられた溝
１９      フレームの溝の外側内壁面に設けられた突起
【図１】
2008107739.tif 000003
【図２】
2008107739.tif 000004
【図３】
2008107739.tif 000005
【図４】
2008107739.tif 000006
【図５】
2008107739.tif 000007
【図６】
2008107739.tif 000008
【図７】
2008107739.tif 000009
【図８】
2008107739.tif 000010
【図９】
2008107739.tif 000011
【図１０】
2008107739.tif 000012
【図１１】
2008107739.tif 000013
【図１２】
2008107739.tif 000014